(57)【要約】【課題】オープンタンクからボイラ等に給水する際のキャビテーションの発生を抑制することの可能なドレン回収システムを提供する。【解決手段】本発明によれば、ボイラ２において発生し負荷機器４において用いられた蒸気が凝縮して生じたドレンを回収してボイラ２に供給するドレン回収システム１であって、負荷機器４で発生したドレンを補給水として回収する開放型のオープンタンク６と、オープンタンク６内の補給水を循環させる循環手段７と、オープンタンク６内の補給水の温度を検出する温度検出手段９１と、負荷機器４とオープンタンク６とを接続するドレン戻しラインＬ６と、ドレン戻しラインＬ６から分岐する排ドレンラインＬ１０と、温度検出手段９１の検出温度Ｔが第一設定温度Ｔ１を超えた場合、循環手段７による循環動作を停止させる制御手段９と、を備える、ドレン回収システム１が提供される。【選択図】図１
2019190803.tif 000002
【特許請求の範囲】
【請求項１】
ボイラにおいて発生し負荷機器において用いられた蒸気が凝縮して生じたドレンを回収して前記ボイラに供給するドレン回収システムであって、
前記負荷機器で発生したドレンを補給水として回収する開放型のオープンタンクと、
前記オープンタンク内の補給水を循環させる循環手段と、
前記オープンタンク内の補給水の温度を検出する温度検出手段と、
前記負荷機器と前記オープンタンクとを接続するドレン戻しラインと、
前記ドレン戻しラインから分岐する排ドレンラインと、
前記温度検出手段の検出温度が第一設定温度を超えた場合、前記循環手段による循環動作を停止させる制御手段と、
を備える、ドレン回収システム。
【請求項２】
請求項１に記載のドレン回収システムであって、
前記制御手段は、前記温度検出手段の検出温度が前記第一設定温度よりも高い第二設定温度を超えた場合、前記排ドレンラインを開放する、ドレン回収システム。
【請求項３】
請求項２に記載のドレン回収システムであって、
前記オープンタンクへ新水を供給できる新水供給ラインを備え、
前記制御手段は、前記温度検出手段の検出温度が前記第二設定温度を超えた場合、前記オープンタンクへ新水を供給する、ドレン回収システム。
【発明の詳細な説明】
【技術分野】
【０００１】
本発明は、負荷機器から排出されるドレンを回収してボイラに供給するドレン回収システムに関する。
【背景技術】
【０００２】
従来、負荷機器に供給された蒸気が凝縮して発生するドレンをタンクに回収し、再度ボイラに供給するドレン回収システムが提案されている。例えば、特許文献１には、開放型のタンク（オープンタンク）内の補給水を循環手段により循環させ、オープンタンクに流入するドレン（蒸気）と混合することで、ドレンを凝縮して回収するドレン回収装置が開示されている。
【先行技術文献】
【特許文献】
【０００３】
【特許文献１】特開平９−５３８０４号公報
【発明の概要】
【発明が解決しようとする課題】
【０００４】
しかしながら、オープンタンクに戻ってくるドレン（蒸気）によってはオープンタンクに貯留される補給水が高温となることがあり、ボイラ等への給水経路においてキャビテーションが発生するおそれがあった。
【０００５】
本発明はこのような事情に鑑みてなされたものであり、オープンタンクからボイラ等に給水する際のキャビテーションの発生を抑制することの可能なドレン回収システムを提供することを目的とする。
【課題を解決するための手段】
【０００６】
本発明によれば、ボイラにおいて発生し負荷機器において用いられた蒸気が凝縮して生じたドレンを回収して前記ボイラに供給するドレン回収システムであって、前記負荷機器で発生したドレンを補給水として回収する開放型のオープンタンクと、前記オープンタンク内の補給水を循環させる循環手段と、前記オープンタンク内の補給水の温度を検出する温度検出手段と、前記負荷機器と前記オープンタンクとを接続するドレン戻しラインと、前記ドレン戻しラインから分岐する排ドレンラインと、前記温度検出手段の検出温度が第一設定温度を超えた場合、前記循環手段による循環動作を停止させる制御手段と、を備える、ドレン回収システムが提供される。
【０００７】
本発明によれば、制御手段が、温度検出手段による検出温度が第一設定温度を超えた場合、循環手段による循環動作を停止させるよう構成されている。また、ドレン戻しラインから分岐する排ドレンラインを備えていることから、オープンタンクへのドレンの流入を抑制することも可能である。これらにより、オープンタンク内の補給水の温度上昇を抑制することができ、ボイラ等に給水する際のキャビテーションの発生を抑制することが可能となっている。
【０００８】
以下、本発明の種々の実施形態を例示する。以下に示す実施形態は互いに組み合わせ可能である。
【０００９】
好ましくは、前記制御手段は、前記温度検出手段の検出温度が前記第一設定温度よりも高い第二設定温度を超えた場合、前記排ドレンラインを開放する。
【００１０】
好ましくは、前記オープンタンクへ新水を供給できる新水供給ラインを備え、前記制御手段は、前記温度検出手段の検出温度が前記第二設定温度を超えた場合、前記オープンタンクへ新水を供給する。
【図面の簡単な説明】
【００１１】
【図１】本発明の第１実施形態に係るドレン回収システム１の構成を示す図である。
【図２】図１のドレン回収システム１の温度制御を示すフローチャートであるである。
【発明を実施するための形態】
【００１２】
以下、本発明の実施形態について説明する。以下に示す実施形態中で示した各種特徴事項は、互いに組み合わせ可能である。また、各特徴について独立して発明が成立する。
【００１３】
以下、本発明の実施形態に係るドレン回収システム１について、図１及び図２を参照しつつ説明する。ドレン回収システム１は、負荷機器４において発生したドレンを回収してボイラ２に供給するものである。本実施形態のドレン回収システム１は、クローズド方式でのドレンの回収と、オープン方式でのドレンの回収とを行えるよう構成される。
【００１４】
１  ドレン回収システム１の構成
まず、図１を参照して、本実施形態のドレン回収システム１の構成を説明する。本実施形態のドレン回収システム１は、ボイラ２と、蒸気ヘッダ３と、負荷機器４と、ドレンタンク５と、オープンタンク６と、制御手段９とを備える。また、ドレン回収システム１は、ラインとして、連結管Ｌ１と、負荷機器ラインＬ２と、回収ラインＬ３と、ドレンタンク用蒸気ラインＬ４と、圧力逃がしラインＬ５と、ドレン戻しラインＬ６と、補給水供給ラインＬ７と、クローズド給水ラインＬ８と、オープン給水ラインＬ９と、排ドレンラインＬ１０と、新水供給ラインＬ１１とを備える。
【００１５】
ボイラ２は、本実施形態においては、缶体（図示せず）を備えた小型の貫流ボイラとされる。ボイラ２で発生した蒸気は、連結管Ｌ１を通って蒸気ヘッダ３に供給され、蒸気ヘッダ３に集められた蒸気は、負荷機器ラインＬ２を通って負荷機器４に供給される。なお、複数のボイラ２を備え、複数のボイラ２からの蒸気を蒸気ヘッダ３に集合させて、負荷機器４へと供給する構成としても良い。
【００１６】
負荷機器４は、ボイラ２で発生した蒸気を熱源として利用し、加熱対象物との間で熱交換を行う。負荷機器４は直列又は並列に複数設けられていても良い。
【００１７】
ドレンタンク５は、負荷機器４において熱交換に用いられた蒸気の一部が凝縮して生じるドレンを高温高圧状態で回収して収容する。ドレンタンク５は、耐圧性を有し密閉可能な密閉型の圧力容器により構成される。また、ドレンタンク５は、ボイラ２よりも上方に配置することが好ましい。なお、ドレンタンク５は、クローズド給水ラインＬ８を流通するドレンをドレンタンク５の気相部に循環させ、ドレンタンク５内の蒸気を凝縮させる循環手段を備えていることが好適である。ただし、ドレンタンク５に設ける循環手段については、従来既知の構成を適用することとし、その説明を省略する。
【００１８】
オープンタンク６は、大気開放された開放型のタンクであり、ドレンタンク５及びボイラ２に供給するための補給水を貯留する。オープンタンク６は、ボイラ２よりも上方に配置することが好ましい。また、オープンタンク６には、オープンタンク６内の補給水の温度Ｔを検出する温度検出手段９１が設けられる。
【００１９】
加えて、本実施形態のオープンタンク６は、オープンタンク６内の補給水を循環させる循環手段７を備える。具体的には、循環手段７は、第１循環手段７０と第２循環手段８０の２つの循環手段を備えている。以下、第１循環手段７０及び第２循環手段８０の構成を説明する。
【００２０】
第１循環手段７０は、循環ライン７１と、循環ポンプ７２と、混合手段７３とを備える。混合手段７３は、混合部７３ａと、導水部７３ｂとを備える。
【００２１】
循環ライン７１は、オープンタンク６の下部（液相部）と混合手段７３の混合部７３ａとを接続するラインである。循環ライン７１には、循環ポンプ７２が設置される。循環ポンプ７２は、オープンタンク６下部の補給水を循環ライン７１を介して混合部７３ａへと供給する。なお、循環ライン７１の下流側、すなわち混合部７３ａ側の端部には、補給水をシャワー状にして混合部７３ａ内に噴出する拡散手段（図示せず）を設けることが好適である。
【００２２】
混合部７３ａには、上述した循環ライン７１及び圧力逃がしラインＬ５が接続される。混合手段７３は、混合部７３ａにおいて、圧力逃がしラインＬ５からの蒸気（フラッシュ蒸気）と循環ライン７１により供給される補給水とを混合させて、蒸気を凝縮させる。また、導水部７３ｂは、混合部７３ａにて生成された凝縮水をオープンタンク６の液相部内へ導く筒状の配管である。混合手段７３の具体的な構造は、従来既知の任意の構成のものを適用するものとし、その詳細な説明を省略する。
【００２３】
第２循環手段８０は、循環ライン８１と、循環ポンプ８２と、混合手段８３とを備える。混合手段８３は、混合部８３ａと導水部８３ｂとを備える。循環ライン８１は、オープンタンク６の下部（液相部）と混合手段８３の混合部８３ａとを接続するラインであり、循環ライン８１には循環ポンプ８２が設置される。
【００２４】
第２循環手段８０は、混合手段８３の混合部８３ａにおいて、ドレン戻しラインＬ６から流入するドレンより発生する蒸気（フラッシュ蒸気）と循環ライン８１により供給される補給水とを混合させて、蒸気を凝縮させる。第２循環手段８０の各要素の構成は、第１循環手段７０の構成と同じであるので、その説明を省略する。
【００２５】
上記の構成の第１循環手段７０及び第２循環手段８０は、圧力逃がしラインＬ５及びドレン戻しラインＬ６から蒸気を凝縮して回収するために用いられる。これら第１循環手段７０及び第２循環手段８０による蒸気の回収により、オープン給水ラインＬ９を介したオープン給水の際の熱効率を向上させることが可能となっている。
【００２６】
回収ラインＬ３は、負荷機器４とドレンタンク５とを接続するラインである。回収ラインＬ３は、負荷機器４で発生したドレンを回収してドレンタンク５に供給する。回収ラインＬ３の下流側の端部は、ドレンタンク５の上部（気相部）に接続される。また、回収ラインＬ３には、負荷機器４において発生したドレンを排出し、かつ、蒸気の排出を防ぐスチームトラップ２１が配置される。加えて、後述するドレン戻しラインＬ６との接続位置よりも下流側には、ドレン回収弁Ｖ３が配置される。
【００２７】
ドレンタンク用蒸気ラインＬ４は、蒸気ヘッダ３とドレンタンク５とを接続するラインである。ドレンタンク用蒸気ラインＬ４は、ボイラ２で発生した蒸気をドレンタンク５に供給する。ドレンタンク用蒸気ラインＬ４の下流側の端部は、ドレンタンク５の上部（気相部）に接続される。ドレンタンク用蒸気ラインＬ４には、ドレンタンク５に所定の圧力で蒸気を供給するための圧力調整弁Ｖ４が配置される。
【００２８】
圧力逃がしラインＬ５は、ドレンタンク５とオープンタンク６とを接続するラインである。圧力逃がしラインＬ５は、ドレンタンク５で発生したフラッシュ蒸気をオープンタンク６に排出する。圧力逃がしラインＬ５の上流側の端部は、ドレンタンク５の上部（気相部）に接続される。圧力逃がしラインＬ５の下流側の端部は、第１循環手段７０の混合手段７３に接続される。また、圧力逃がしラインＬ５には、圧力調整弁Ｖ５が配置される。圧力調整弁Ｖ５は、ドレンタンク５の内部の圧力が所定の圧力を超えた場合に、フラッシュ蒸気をオープンタンク６側に逃がして、ドレンタンク５の内部の圧力を低下させる。
【００２９】
ドレン戻しラインＬ６は、負荷機器４とオープンタンク６とを接続するラインである。ドレン戻しラインＬ６は、負荷機器４からの余剰ドレンをオープンタンク６へ導入する。余剰ドレンとは、何らかの理由で、ドレンタンク５に収容することができなかったドレンである。ここで、ドレン戻しラインＬ６の上流側と回収ラインＬ３の上流側とは、共通のラインにより構成される。また、ドレン戻しラインＬ６の回収ラインＬ３との分岐位置よりも下流側の位置には、ドレン逃がし弁Ｖ６が設置される。
【００３０】
クローズド給水ラインＬ８は、ドレンタンク５とボイラ２とを接続するラインである。クローズド給水ラインＬ８は、ドレンタンク５に収容されたドレンをボイラ２に供給する。クローズド給水ラインＬ８の上流側の端部は、ドレンタンク５の底部（液相部）に接続される。クローズド給水ラインＬ８には、ドレン供給ポンプＰ８が設置される。ドレン供給ポンプＰ８は、ドレンタンク５から供給されたドレンを昇圧してボイラ２側に送り出す。また、クローズド給水ラインＬ８のドレン供給ポンプＰ８よりも下流側の位置には、クローズド給水弁Ｖ８が配置される。
【００３１】
オープン給水ラインＬ９は、オープンタンク６とボイラ２とを接続するラインである。オープン給水ラインＬ９は、オープンタンク６に収容された補給水をボイラ２に供給する。オープン給水ラインＬ９の上流側の端部は、オープンタンク６の底部（液相部）に接続される。オープン給水ラインＬ９には、ブースターポンプＰｂが設置される。ブースターポンプＰｂは、オープンタンク６から供給された補給水を昇圧してボイラ２側に送り出す。ブースターポンプＰｂは、オープン給水ラインＬ９におけるキャビテーションを防止するために設けられる。本実施形態において、ブースターポンプＰｂのオープン給水ラインＬ９上における設置位置は、オープンタンク６とボイラ２の中間位置よりもオープンタンク６側の位置とされる。また、ブースターポンプＰｂの設置位置は、より好ましくは、オープン給水ラインＬ９を４等分した場合の最もオープンタンク６側の位置とされる。また、ブースターポンプＰｂよりも下流側（ボイラ２側）には、ブースターポンプＰｂ方向の流れを阻止する逆止弁Ｖｂが配置される。加えて、オープン給水ラインＬ９には、図１に示すボイラ２側の位置にも、補助ポンプＰ９と逆止弁Ｖ９が設けられる。
【００３２】
補給水供給ラインＬ７は、オープン給水ラインＬ９から分岐するラインであり、オープン給水ラインＬ９とドレンタンク５とを接続する。補給水供給ラインＬ７は、逆止弁Ｖｂより下流側であって補助ポンプＰ９より上流側の位置において、オープン給水ラインＬ９から分岐する。補給水供給ラインＬ７は、オープンタンク６に貯留された補給水を、オープン給水ラインＬ９を経由してドレンタンク５に供給する。補給水供給ラインＬ７には、補給水供給ポンプＰ７が配置され、この補給水供給ポンプＰ７を駆動させることにより、オープンタンク６からドレンタンク５に補給水が供給される。また、補給水供給ポンプＰ７の下流側には、オープン給水ラインＬ９方向への補給水の逆流を防止する逆止弁Ｖ７が設けられている。
【００３３】
排ドレンラインＬ１０は、ドレン戻しラインＬ６から分岐するラインである。排ドレンラインＬ１０の一端はドレン戻しラインＬ６に接続され、排ドレンラインＬ１０の他端側はタンク等（図示せず）と接続される。排ドレンラインＬ１０には、排ドレン弁Ｖ１０が設けられている。そして、排ドレンラインＬ１０は、排ドレン弁Ｖ１０が開放されると、ドレン戻しラインＬ６を流通するドレンを分岐させて図示しないタンク等に貯留し、オープンタンク６へのドレンの流通を低減する。なお、排ドレン弁Ｖ１０を流量調整の可能な玉型弁等とし、排出するドレンの流量（同時に、オープンタンク６に流入させるドレン量）を調整可能に構成してもよい。
【００３４】
新水供給ラインＬ１１は、オープンタンク６へ外部から新水を供給するラインである。新水供給ラインＬ１１は、オープンタンク６の底部（液相部）に接続される。また、新水供給ラインＬ１１には、新水弁Ｖ１１が設置される。なお、新水は、補給水の温度を下げるため冷水とすることが好ましい。また、本実施形態において、オープンタンク６には、この新水と、ドレン戻しラインＬ６からのドレン及び圧力逃がしラインＬ５からの蒸気が凝縮したドレンとが混合された水が収容される。
【００３５】
制御手段９は、ボイラ２からの信号等に基づいて上記各ラインに設けられる弁の開閉やポンプの駆動等を制御することで、ドレンの回収及びボイラ２への供給を制御するものである。また、本実施形態の制御手段９は、温度検出手段９１の検出温度Ｔをもとに、オープンタンク６内の補給水の温度制御も行う。制御手段９による補給水の温度制御の詳細については、後述する。
【００３６】
なお、制御手段９は、具体的には、ＣＰＵ及び各種メモリにより構成される。制御手段９の動作は、プログラムの形式でハードディスク、ＳＳＤ（ソリッド・ステート・ドライブ）等の記憶媒体に記憶される。そして、このプログラムをＣＰＵが読み出して実行することで、各制御が行われる。
【００３７】
以上のような構成のドレン回収システム１は、負荷機器４で生じたドレンをドレンタンク５又はオープンタンク６に収容する。そして、ドレンタンク５に収容したドレンを、クローズド給水ラインＬ８を介してボイラ２に供給（クローズド給水）し、オープンタンク６に収容したドレンをオープン給水ラインＬ９を介してボイラ２に供給（オープン給水）する。
【００３８】
なお、クローズド給水の際には、制御手段９は、ドレンタンク５に設置された温度センサや圧力センサ、水位センサ等（図示せず）により計測される温度や圧力、水位等に基づいて、各ラインの弁やポンプ等の制御を行う。これらの制御については、従来既知の方法を用いることにして、詳細な説明を省略する。また、本実施形態のドレン回収システム１は、平常時には熱効率の良いクローズド給水が優先的に行われ、クローズド給水に不具合が生じた際に、オープン給水を行うよう制御される。
【００３９】
２  補給水の温度制御
次に、図２のフローチャートを用いて、上記構成のドレン回収システム１における、オープンタンク６内の補給水の温度制御について説明する。本実施形態において、温度制御は、循環手段７による循環動作と、排ドレンラインＬ１０の開閉によるドレン放出動作により達成される。
【００４０】
ドレン回収システム１のドレン回収動作が開始されると、オープンタンク６内の補給水の温度制御も開始される。温度制御の開始後、制御手段９はまず、ステップＳ１において循環手段７の循環動作を開始する。具体的には、制御手段９は、循環ポンプ７２を駆動することによって第１循環手段７０による循環ライン７１を介した補給水の循環動作を実行する。また、同時に、制御手段９は、循環ポンプ８２を駆動することによって第２循環手段８０による循環ライン８１を介した補給水の循環動作を実行する。なお、循環動作を行うことにより、オープンタンク６へ供給される蒸気が凝縮され、熱回収がなされることで、補給水の温度Ｔは上昇する。
【００４１】
次に、ステップＳ２において、制御手段９は、温度検出手段９１が検出したオープンタンク６内の補給水の温度Ｔが第一設定温度Ｔ１を超えたかどうかを判定する。ここで、第一設定温度Ｔ１は、例えば８５℃〜９５℃とすることが好ましい。また、第一設定温度Ｔ１は、８８℃〜９２℃とすることがより好ましい。この判定のステップＳ２は、次のステップＳ３に移行するまで常に実行され続ける。そして、補給水の温度Ｔが第一設定温度Ｔ１を超えた場合、次のステップＳ３に移行し、ステップＳ３において、循環手段７の循環動作、すなわち第１循環手段７０及び第２循環手段８０の循環動作を停止する。
【００４２】
次にステップＳ４において、制御手段９は、温度検出手段９１が検出したオープンタンク６内の補給水の温度Ｔが第一設定温度Ｔ１よりも高温である第二設定温度Ｔ２を超えたかどうかを判定する。ここで、第二設定温度Ｔ２は、例えば９０℃〜９９℃とすることが好ましい。また、第二設定温度Ｔ２は、９３℃〜９７℃とすることがより好ましい。この判定のステップＳ４は、次のステップＳ５に移行するまで常に実行され続ける。そして、補給水の温度Ｔが第二設定温度Ｔ２を超えた場合、次のステップＳ５に移行し、ステップＳ５において、制御手段９は、排ドレン弁Ｖ１０を開け、排ドレンラインＬ１０を開放する。これにより、オープンタンク６に流入していたドレンの少なくとも一部は、排ドレンラインＬ１０を介してタンク等に貯留される。また、略同一のタイミングで、ステップＳ６において、新水弁Ｖ１１を開放し、新水供給ラインＬ１１を介してオープンタンク６へ新水を供給する。
【００４３】
ステップＳ５において排ドレンラインＬ１０が開放され、ステップＳ６において新水の供給が開始された後は、ボイラ２が停止してドレン回収システム１のドレン回収動作が終了するまで、循環手段７による補給水の循環を停止した状態を継続し、排ドレンラインＬ１０を開放した状態を継続する。そして、ボイラ２が停止し、ボイラ２への給水が停止すると、制御手段９は、オープンタンク６の温度制御を終了する。
【００４４】
なお、制御手段９は、補給水の温度Ｔが再び第二設定温度Ｔ２を下回った場合に、排ドレンラインＬ１０を閉止（排ドレン弁Ｖ１０を閉止）し、新水弁Ｖ１１を閉止して新水の供給を停止するよう制御しても良い。さらに、補給水の温度Ｔが再び第一設定温度Ｔ１を下回った場合に、循環手段７の循環動作を再開させるよう制御しても良い。
【００４５】
３  効果
以上のようなドレン回収システム１は、温度検出手段９１による検出温度Ｔが第一設定温度Ｔ１を超えた場合、制御手段９は循環手段７による循環動作を停止させるよう構成されている。また、温度検出手段９１による検出温度Ｔが第二設定温度Ｔ２を超えた場合には、制御手段９は排ドレン弁Ｖ１０を開けて排ドレンラインＬ１０を開放するとともに、新水弁Ｖ１１を開放して新水供給ラインＬ１１からオープンタンク６へ新水を供給するよう構成されている。したがって、本実施形態のドレン回収システム１は、制御手段９によるこれらの制御により、オープンタンク６内の補給水の温度上昇を抑制することが可能となっており、その結果、ボイラ等に給水する際のキャビテーションの発生を抑制することが可能となっている。
【００４６】
ところで、本実施形態において、オープンタンク６の補給水は、ブースターポンプＰｂにより昇圧されてボイラ２に給水されるが、このブースターポンプＰｂは、何らかの原因で使用できない場合がある。この場合、ボイラ２への供給自体は可能であっても、オープン給水ラインＬ９においてキャビテーションが発生する可能性が高くなる。しかしながら、本実施形態のドレン回収システム１は、たとえブースターポンプＰｂが使用できない場合であっても、制御手段９が上述したステップによりオープンタンク６内の補給水の温度制御を行っていることで、オープン給水ラインＬ９におけるキャビテーションの発生を抑制することが可能となっている。
【００４７】
なお、ブースターポンプＰｂが使用できない場合は、ブースターポンプＰｂをバイパスするバイパスライン（図示せず）により、ブースターポンプＰｂを介することなくボイラ２に給水を行うか、ブースターポンプＰｂを取り外して管路に付け替え、当該管路を介してボイラ２に給水することが好ましい。
【００４８】
４  変形例
本発明は、以下の態様でも実施可能である。
・上記実施形態では、排ドレンラインＬ１０の排ドレン弁Ｖ１０は、温度検出手段９１が検出したオープンタンク６内の補給水の温度Ｔに応じて、制御手段９の制御により開閉制御が行われていたが、この構成に限定されるものではない。すなわち、ユーザがオープンタンク６の状態やブースターポンプＰｂの状況等に応じて排ドレン弁Ｖ１０を手動で開閉する構成とすることも可能である。また、排ドレン弁Ｖ１０を流量調整の可能な玉型弁等とした場合には、補給水の温度Ｔに応じて排出するドレンの流量を調整し、オープンタンク６に流入させるドレン量を調整するよう構成してもよい。
・上記実施形態では、排ドレンラインＬ１０はタンク等（図示せず）に接続される構成であったが、排ドレンラインＬ１０の他端側を単に大気に開放する構成とすることも可能である。
・上記実施形態では、オープンタンク６内の補給水の温度制御の際、補給水の温度Ｔが第一設定温度Ｔ１を超えると、第１循環手段７０及び第２循環手段８０の循環動作を同時に停止する構成であったが、この構成に限定されるものではない。すなわち、片方の循環手段のみを停止する構成とすることも可能であるまた、第三設定温度Ｔ３（＞Ｔ１）を規定し、補給水の温度Ｔが第一設定温度Ｔ１を超えるとまず一方の循環手段の循環を停止し、次に、補給水の温度Ｔが第三設定温度Ｔ３を超えると他方の循環手段の循環を停止する構成とすることも可能である。
・上記実施形態では、循環手段７は圧力逃がしラインＬ５が接続される第１循環手段７０と、第１循環手段７０とドレン戻しラインＬ６が接続される第２循環手段８０の２つの循環手段を備えていたが、何れか一方の循環手段のみを備える構成とすることもできる。
・上記実施形態では、排ドレンラインＬ１０を開放する閾値である第二設定温度Ｔ２を、循環手段７の循環動作を停止する閾値である第一設定温度Ｔ１よりも高温となるよう設定していたが、閾値の設定はこれに限定されるものではない。すなわち、第一設定温度Ｔ１と第二設定温度Ｔ２を同一の温度とすることや、第二設定温度Ｔ２よりも第一設定温度Ｔ１のほうが高温であるよう設定することも可能である。
【符号の説明】
【００４９】
１      ：ドレン回収システム
２      ：ボイラ
３      ：蒸気ヘッダ
４      ：負荷機器
５      ：ドレンタンク
６      ：オープンタンク
７      ：循環手段
９      ：制御手段
２１    ：スチームトラップ
７０    ：第１循環手段
７１    ：循環ライン
７２    ：循環ポンプ
７３    ：混合手段
７３ａ  ：混合部
７３ｂ  ：導水部
８０    ：第２循環手段
８１    ：循環ライン
８２    ：循環ポンプ
８３    ：混合手段
８３ａ  ：混合部
８３ｂ  ：導水部
９１    ：温度検出手段
Ｌ１    ：連結管
Ｌ２    ：負荷機器ライン
Ｌ３    ：回収ライン
Ｌ４    ：ドレンタンク用蒸気ライン
Ｌ５    ：圧力逃がしライン
Ｌ６    ：ドレン戻しライン
Ｌ７    ：補給水供給ライン
Ｌ８    ：クローズド給水ライン
Ｌ９    ：オープン給水ライン
Ｌ１０  ：排ドレンライン
Ｌ１１  ：新水供給ライン
Ｐ７    ：補給水供給ポンプ
Ｐ８    ：ドレン供給ポンプ
Ｐ９    ：補助ポンプ
Ｐｂ    ：ブースターポンプ
Ｓ１〜Ｓ６    ：ステップ
Ｔ      ：温度（検出温度）
Ｔ１    ：第一設定温度
Ｔ２    ：第二設定温度
Ｔ３    ：設定温度
Ｖ３    ：ドレン回収弁
Ｖ４    ：圧力調整弁
Ｖ５    ：圧力調整弁
Ｖ６    ：ドレン逃がし弁
Ｖ７    ：逆止弁
Ｖ８    ：クローズド給水弁
Ｖ９    ：逆止弁
Ｖ１０  ：排ドレン弁
Ｖ１１  ：新水弁
Ｖｂ    ：逆止弁
【図１】
2019190803.tif 000003
【図２】
2019190803.tif 000004